(57)【要約】【課題】短い起動時間で閾値を超える雑音を見極め、基地局信号の有無を確認する。【解決手段】基地局信号が受信できない場合に間欠動作により基地局信号の受信の有無を探索する無線端末装置において、間欠動作の起動時間中に受信した信号の包絡線変動を検出する包絡線検波回路と、検出した包絡線変動が基地局信号の変調方式に基づく包絡線変動に一致しているか否かを判別する判別回路と、包絡線変動の一致により基地局信号の受信であると判別した場合に、基地局信号の連続受信動作に移行する主無線復調回路とを備える。【選択図】  図１
2014007637.tif 000002
【特許請求の範囲】
【請求項１】
基地局信号が受信できない場合に間欠動作により基地局信号の受信の有無を探索する無線端末装置において、
前記間欠動作の起動時間中に受信した信号の包絡線変動を検出する包絡線検波回路と、  前記検出した包絡線変動が前記基地局信号の変調方式に基づく包絡線変動に一致しているか否かを判別する判別回路と、
前記包絡線変動の一致により前記基地局信号の受信であると判別した場合に、前記基地局信号の連続受信動作に移行する主無線復調回路と
を備えたことを特徴とする無線端末装置。
【請求項２】
請求項１に記載の無線端末装置において、
包絡線検波回路は、前記間欠動作の起動時間として受信シンボル間隔の少なくとも３倍の時間に設定し、
前記判別回路は、前記受信シンボル間隔と同等の速度でサンプリングを行い、サンプリングを行った信号に対して判別する
ことを特徴とする無線端末装置。
【請求項３】
請求項１に記載の無線端末装置において、
前記判別回路は、前記基地局信号が非ゼロの値をとる変調方式をとるときに、前記包絡線検波回路の出力が所定の閾値以上の値が連続的に検知される場合に、前記基地局信号の変調方式に基づく包絡線変動に一致していると判別する
ことを特徴とする無線端末装置。
【請求項４】
請求項１に記載の無線端末装置において、
前記判別回路は、前記基地局信号の変調方式から予測されうる代表値を保持し、前記包絡線検波回路の出力をサンプリングした信号に対してその代表値との相関を取り、所定の相関値が得られる場合に、前記基地局信号の変調方式に基づく包絡線変動に一致していると判別する
ことを特徴とする無線端末装置。
【請求項５】
請求項１に記載の無線端末装置において、
前記包絡線検波回路は、前記間欠動作による信号受信間隔は受信フレーム間隔の整数倍以外とする
ことを特徴とする無線端末装置。
【発明の詳細な説明】
【技術分野】
【０００１】
本発明は、無線基地局と無線端末が通信を行う無線通信システムにおいて、無線端末が無線基地局から送信された信号（基地局信号）を受信できない場合に、間欠動作に移行して基地局信号の受信の有無を探索する無線端末装置に関する。
【背景技術】
【０００２】
従来、電池で駆動する無線端末が基地局信号を待受ける場合、基地局信号を受信できていない状態では、ある一定時間ごとに無線受信回路を起動して基地局信号の有無を探索する間欠動作が行われている。これは、連続的に受信動作を行うとエネルギーの消費量が多く電池を消耗してしまうからである。ここで、無線端末が基地局信号の有無を判別するには、特許文献１のように、基地局信号に相当する帯域において、受信電力レベルがある閾値を超えたかの判定を行うとともに、閾値を超えた場合に無線基地局のフレーム同期信号が検出されたことを以って基地局信号の有無を判断するような方式があった。
【先行技術文献】
【特許文献】
【０００３】
【特許文献１】特開平１０−１７８６６９号公報
【発明の概要】
【発明が解決しようとする課題】
【０００４】
従来の技術では、図３(1) および図４(2) に示すように、雑音が比較的大きい環境において、ある瞬間に雑音が高い電力レベルの信号として受信されうる可能性がある。そのような閾値を超える電力レベルが検出された場合、無線端末は受信時点からフレーム同期信号が来るであろう最長のタイミングまで連続受信状態となり、フレーム同期信号の有無を以って基地局信号の有無を判別する。すなわち、閾値を超える雑音を基地局信号の受信であると誤検知した場合にも連続受信状態に入るため、消費電力の増大が課題となっていた。
【０００５】
本発明は、短い起動時間で閾値を超える雑音を見極め、基地局信号の有無を確認することができる無線端末装置を提供することを目的とする。
【課題を解決するための手段】
【０００６】
本発明は、基地局信号が受信できない場合に間欠動作により基地局信号の受信の有無を探索する無線端末装置において、間欠動作の起動時間中に受信した信号の包絡線変動を検出する包絡線検波回路と、検出した包絡線変動が基地局信号の変調方式に基づく包絡線変動に一致しているか否かを判別する判別回路と、包絡線変動の一致により基地局信号の受信であると判別した場合に、基地局信号の連続受信動作に移行する主無線復調回路とを備える。
【０００７】
本発明の無線端末装置において、包絡線検波回路は、間欠動作の起動時間として受信シンボル間隔の少なくとも３倍の時間に設定し、判別回路は、受信シンボル間隔と同等の速度でサンプリングを行い、サンプリングを行った信号に対して判別する。
【０００８】
本発明の無線端末装置において、判別回路は、基地局信号が非ゼロの値をとる変調方式をとるときに、包絡線検波回路の出力が所定の閾値以上の値が連続的に検知される場合に、基地局信号の変調方式に基づく包絡線変動に一致していると判別する。
【０００９】
本発明の無線端末装置において、判別回路は、基地局信号の変調方式から予測されうる代表値を保持し、包絡線検波回路の出力をサンプリングした信号に対してその代表値との相関を取り、所定の相関値が得られる場合に、基地局信号の変調方式に基づく包絡線変動に一致していると判別する。
【００１０】
本発明の無線端末装置において、包絡線検波回路は、間欠動作による信号受信間隔は受信フレーム間隔の整数倍以外とする。
【発明の効果】
【００１１】
本発明の無線端末装置は、間欠動作の起動時間中に受信した信号の包絡線変動を検出し、その包絡線変動が基地局信号の変調方式に基づく包絡線変動に一致している場合に、基地局信号の連続受信動作に移行することにより、短い起動時間で基地局信号の有無を判別することができ、間欠動作時の起動時間を削減し、消費電力を低減することができる。
【図面の簡単な説明】
【００１２】
【図１】本発明の無線端末装置の構成例を示す図である。
【図２】本発明の無線端末装置の処理手順例を示すフローチャートである。
【図３】本発明の無線端末装置の動作例１を示すタイムチャートである。
【図４】本発明の無線端末装置の動作例２を示すタイムチャートである。
【発明を実施するための形態】
【００１３】
図１は、本発明の無線端末装置の構成例を示す。図２は、本発明の無線端末装置の処理手順例を示す。
【００１４】
図１および図２において、無線端末装置は、アンテナを介して入力する信号を受信する主無線復調回路１１および包絡線検波回路１２と、包絡線検波回路１２の間欠動作を制御する間欠制御回路１３と、包絡線検波回路１２の出力信号に応じて主無線復調回路１１の動作を制御する判別回路１４から構成される。
【００１５】
間欠制御回路１３は、省電力化のために包絡線検波回路１２を一定の間隔で、一定期間だけ起動させる間欠動作を制御する。ここで、主無線復調回路１１は、受信信号よりデータ信号を正確に取り出すための復調動作を行っているが、包絡線検波回路１２は受信信号の包絡線変動のみを検出する動作のため、包絡線検波回路１２の消費電力は主無線復調回路１１よりも小さい。
【００１６】
包絡線検波回路１２は、間欠制御回路１３の制御による間欠動作の起動時間中に受信信号の包絡線変動を検出して判別回路１４に出力する。判別回路１４は、包絡線検波回路１２で検出された受信信号の包絡線変動が、基地局信号の変調方式に基づく包絡線変動に一致しているか否かを判別し、包絡線変動の一致により基地局信号の受信であると判別した場合に、主無線復調回路１１を起動して基地局信号の連続受信動作に移行する。
【００１７】
なお、判別回路１４は、包絡線検波回路１２の出力信号を受信シンボル間隔と同等の速度でサンプリングし、その離散値を用いて判定してもよい。
【００１８】
ここで、変調方式としてオフセットＱＰＳＫまたは 1/4πシフトＱＰＳＫまたは位相連続変調方式などが使用される場合、受信信号の包絡線は理想的には非ゼロの値を取りうる。判別回路１４は、図３(3) に示すように、包絡線検波回路１２の出力信号の包絡線変動を受信シンボル間隔の少なくとも３倍の連続時間で検知し、ある閾値以上の値が連続的に検知される場合には、これらの変調方式に対応する基地局信号であると判別し、主無線復調回路１１を起動して基地局信号の連続受信動作に移行する。一方、図３(2) に示すように、雑音の受信電力が瞬間的に閾値を超える高い値を取る場合には、この区間における信号は基地局信号以外であると判別し、主無線復調回路１１は起動せず、間欠制御回路１３の制御による包絡線検波回路１２の間欠動作を継続させる。
【００１９】
また、判別回路１４は、図４に示すように、予め変調方式から予測されうる代表値を波形データベースとして保持しておき、包絡線検波回路１２からの離散出力値と代表値との相関を取ることで基地局信号の有無を検出することができる。すなわち、相関値が高い場合に、所定の変調方式に対応する基地局信号が受信できたと判別し、相関値が低い場合に基地局信号以外の信号と判別する。
【００２０】
このように、本発明による判別回路１４では、図３(2),(3) および図４(1) に示すように雑音の受信電力が瞬間的に高い値を取っても、包絡線変動や相関計算より、この区間における信号は基地局信号以外であると判別することができる。これにより、従来のように誤検知による無駄な連続受信を行う必要が無く、低消費電力化が可能となる。
【００２１】
また、包絡線の間欠受信の間隔は、受信フレーム間隔の整数倍以外とする。これは、たまたま受信タイミングが基地局信号のフレームの切れ目になった場合、相関値や包絡線変動を取得することが困難となるためである。基地局信号のフレーム周期に対して包絡線検波回路１２の受信タイミングを適度に異なる値とすることにより、次の受信タイミングでは基地局信号を取得することが可能となる。
【符号の説明】
【００２２】
１１  主無線復調回路
１２  包絡線検波回路
１３  間欠制御回路
１４  判別回路
【図１】
2014007637.tif 000003
【図２】
2014007637.tif 000004
【図３】
2014007637.tif 000005
【図４】
2014007637.tif 000006